(57)【要約】【課題】  一つの操作で、パネルを装置本体に対する側方に向けて移動させることができ、かつ、そのパネルに備えた操作部及び／又は表示部を上向き姿勢から横向き姿勢に姿勢変更できるようにする。【解決手段】  操作部及び／又は表示部を備えたパネル１を、装置本体２に対して移動自在に支持してある処理装置であって、パネルの装置本体に対する側方に向けての移動に連動して、操作部及び／又は表示部が上向き姿勢から横向き姿勢に姿勢変更するように、パネルを支持してある。【選択図】        図３
2006026924.tif 000002
【特許請求の範囲】
【請求項１】
操作部及び／又は表示部を備えたパネルを、装置本体に対して移動自在に支持してある処理装置であって、
前記パネルの装置本体に対する側方に向けての移動に連動して、前記操作部及び／又は表示部が上向き姿勢から、前記側方に向く横向き姿勢に姿勢変更するように、前記パネルを支持してある処理装置。
【請求項２】
前記パネルの前記側方に向けての移動に連動して、前記操作部及び／又は表示部が、前記上向き姿勢から前記横向き姿勢に連続的に姿勢変更するように、前記パネルを支持してある請求項１記載の処理装置。
【請求項３】
前記パネルの前記側方に向けての移動に連動して、そのパネルが下降するように、前記パネルを支持してある請求項１又は２記載の処理装置。
【請求項４】
前記パネルを、前記側方に向けてスライド移動操作自在に支持し、
前記パネルの前記側方に向けてのスライド移動操作と、前記操作部及び／又は表示部の姿勢変更操作とを機械的に連動させて、前記パネルを前記側方に向けて移動させる動作で、前記操作部及び／又は表示部が前記上向き姿勢から前記横向き姿勢に姿勢変更するように、前記パネルを支持してある請求項１〜３のいずれか１項記載の処理装置。
【請求項５】
前記パネルを、前記側方ほど低くなる円弧状のガイド面に沿ってスライド移動操作自在に支持して、前記スライド移動操作と前記姿勢変更操作とを機械的に連動させてある請求項４記載の処理装置。
【発明の詳細な説明】
【技術分野】
【０００１】
本発明は、操作部及び／又は表示部を備えたパネルを、装置本体に対して移動自在に支持してある処理装置に関する。
【背景技術】
【０００２】
上記処理装置は、装置本体に対して接近できる距離や目の高さが制限される例えば車椅子に乗った人でも、操作部を容易に操作したり、表示部の表示を容易に確認できるように、操作部及び／又は表示部を備えたパネルを、装置本体に対して移動自在に支持してあり、例えば、複写機やプリンタ，ファクシミリなどの画像処理装置では、従来、パネルの取り付け角度を変更できるようにしたもの（例えば、特許文献１参照）や、パネルを装置本体の前方に向けて移動できるようにしたもの（例えば、特許文献２参照）が提案されている。
【０００３】
【特許文献１】特開２００４−８５７６２号公報
【特許文献２】特開２００４−３８０９４号公報
【発明の開示】
【発明が解決しようとする課題】
【０００４】
このため、パネルを装置本体に対する側方に向けて移動させ、かつ、操作部及び／又は表示部を上向き姿勢から、装置本体に対する側方に向く横向き姿勢に姿勢変更できるようにしたい場合に、上記従来技術を組み合わせると、パネルを装置本体に対する側方に向けて移動させる操作と、操作部及び／又は表示部を上向き姿勢から横向き姿勢に姿勢変更する操作とを各別に行う必要があるので、それらの操作が煩わしい欠点があり、とりわけ、車椅子に乗った人にとっては、操作そのものがしずらい欠点もある。
本発明は上記実情に鑑みてなされたものであって、一つの操作で、パネルを装置本体に対する側方に向けて移動させることができ、かつ、そのパネルに備えた操作部及び／又は表示部を上向き姿勢から横向き姿勢に姿勢変更できるようにすることを目的とする。
【課題を解決するための手段】
【０００５】
本発明の第１特徴構成は、操作部及び／又は表示部を備えたパネルを、装置本体に対して移動自在に支持してある処理装置であって、前記パネルの装置本体に対する側方に向けての移動に連動して、前記操作部及び／又は表示部が上向き姿勢から、前記側方に向く横向き姿勢に姿勢変更するように、前記パネルを支持してある点にある。
【０００６】
〔作用及び効果〕
パネルの装置本体に対する側方に向けての移動に連動して、操作部及び／又は表示部が上向き姿勢から、側方に向く横向き姿勢に姿勢変更するように、パネルを支持してあるので、一つの操作で、パネルを装置本体に対する側方に向けて移動させることができ、かつ、そのパネルに備えた操作部及び／又は表示部を上向き姿勢から横向き姿勢に姿勢変更できる。
【０００７】
本発明の第２特徴構成は、前記パネルの前記側方に向けての移動に連動して、前記操作部及び／又は表示部が、前記上向き姿勢から前記横向き姿勢に連続的に姿勢変更するように、前記パネルを支持してある点にある。
【０００８】
〔作用及び効果〕
パネルの装置本体に対する側方に向けての移動に連動して、操作部及び／又は表示部が、上向き姿勢から横向き姿勢に連続的に姿勢変更するように、パネルを支持してあるので、パネルの側方に向けての移動位置と、その移動位置に対応する操作部及び／又は表示部の姿勢とを確認しながら操作できると共に、パネルの移動位置を移動範囲の中間位置に選択して、操作部及び／又は表示部の姿勢を姿勢変更範囲の中間姿勢に変更することも可能になる。
【０００９】
本発明の第３特徴構成は、前記パネルの前記側方に向けての移動に連動して、そのパネルが下降するように、前記パネルを支持してある点にある。
【００１０】
〔作用及び効果〕
パネルの装置本体に対する側方に向けての移動に連動して、そのパネルが下降するように、パネルを支持してあるので、一つの操作で、更に、パネルを低い位置に保持することができ、車椅子に乗った人や小柄な人のような眼の高さが低い人でも、操作部を一層容易に操作したり、表示部の表示を一層容易に確認できるように、パネルを移動させ易い。
【００１１】
本発明の第４特徴構成は、前記パネルを、前記側方に向けてスライド移動操作自在に支持し、前記パネルの前記側方に向けてのスライド移動操作と、前記操作部及び／又は表示部の姿勢変更操作とを機械的に連動させて、前記パネルを前記側方に向けて移動させる動作で、前記操作部及び／又は表示部が前記上向き姿勢から前記横向き姿勢に姿勢変更するように、前記パネルを支持してある点にある。
【００１２】
〔作用及び効果〕
パネルの装置本体に対する側方に向けてのスライド移動操作と、操作部及び／又は表示部の姿勢変更操作とを機械的に連動させて、パネルを側方に向けて移動させる動作で、操作部及び／又は表示部が上向き姿勢から横向き姿勢に姿勢変更するように、パネルを支持してあるので、パネルの移動装置と、操作部及び／又は表示部の姿勢変更装置とを各別に設けて、パネルが側方に向けて移動するに伴って、操作部及び／又は表示部が上向き姿勢から横向き姿勢に姿勢変更するように、移動装置と姿勢変更装置とをタイミング良く駆動させるような場合に比べて、構造の簡略化を図り易い。
【００１３】
本発明の第５特徴構成は、前記パネルを、前記側方ほど低くなる円弧状のガイド面に沿ってスライド移動操作自在に支持して、前記スライド移動操作と前記姿勢変更操作とを機械的に連動させてある点にある。
【００１４】
〔作用及び効果〕
パネルを、装置本体に対する側方ほど低くなる円弧状のガイド面に沿ってスライド移動操作自在に支持して、パネルの装置本体に対する側方に向けてのスライド移動操作と、操作部及び／又は表示部の姿勢変更操作とを機械的に連動させてあるので、パネルのスライド移動も、操作部及び／又は表示部の姿勢変更も、円滑に行い易い。
【発明を実施するための最良の形態】
【００１５】
以下に本発明の実施の形態を図面に基づいて説明する。
〔第１実施形態〕
図１は本発明による処理装置の一例としての、複写機やプリンタ，ファクシミリなどの画像処理装置Ａを示し、画像処理を実行させる際の操作入力や処理状況の表示を行うための操作パネル１を、装置本体２に対して移動自在に支持してある。
【００１６】
前記装置本体２には、画像処理を行う画像処理部やシート材に画像形成を行う画像形成部等を内装してあり、操作パネル１と、原稿を読み取るスキャナ機能を有するスキャナ部３とを上面側に設け、印刷出力するためのシート材を収納する給紙カセット４などを装置本体２の下部に設けてある。
【００１７】
前記操作パネル１は、画像処理を実行させるための操作部５と、処理状況などを表示する液晶表示部６とをその上面側に備え、操作部５には、液晶タッチパネル５ａやコピー開始を入力するためのスタートキー５ｂ，入力内容を消去するためのクリアキー５ｃ，処理作業の中止を入力するためのストップキー５ｄなどを設けてある。
【００１８】
そして、図２，図３に示すように、装置本体２の前面側前方（装置本体に対する側方の一例）に向けての操作パネル１のスライド移動操作と、操作部５と表示部６の姿勢変更操作とを機械的に連動させて、操作パネル１の前端側を手で掴んでその全体を装置本体２の前面側前方に向けて引き出すように移動させる動作で、操作部５と表示部６が上向き姿勢から、前面側前方に向く横向き姿勢に姿勢変更し、しかも、操作パネル１の全体が下降するように、操作パネル１を支持するパネル支持機構Ｃを可逆的に操作自在に設けてある。
【００１９】
前記パネル支持機構Ｃは、装置本体２の前面側上部に、前面側前方ほど低くなる側面視で円弧状のガイド面７を設けて、操作パネル１の全体を、そのガイド面７に沿って、装置本体２の前面側前方と後方とに向けて往復スライド移動操作自在に支持して構成してあり、操作パネル１を、操作部５と表示部６を設けてある略扁平な上面部８と、側面視でガイド面７と略同じ曲率の円弧状被ガイド面９を形成している下面部１０とを備えた形状に形成して、操作パネル１を被ガイド面９がガイド面７に重なるように組み付けてある。
【００２０】
また、ガイド面７を形成しているガイド部材７ａの左右両側にストッパー１１を突設して、操作パネル１の左右両側に設けてある凸部１２のストッパー１１との接当で、図３（ハ）に示すように、操作部５と表示部６を前面側前方に向けて最も傾斜させた最大傾斜位置Ｂ３に操作パネル１を保持できるように構成すると共に、操作パネル１を、図３（イ）に示すように、操作部５と表示部６が最も上向きの通常位置Ｂ１と、図３（ロ）に示すように、通常位置Ｂ１と最大傾斜位置Ｂ３との中間の中間位置Ｂ２とに保持できるように、ガイド面７と被ガイド面９とに亘って、左右両側に、ボールデテントなどの弾性係止機構１３を、操作パネル１の移動に伴って係脱自在に設けてある。
【００２１】
従って、通常位置Ｂ１では、図３（イ）に示すように、操作パネル１を最も高い位置で、操作部５と表示部６を最も上方に向けた姿勢で保持でき、中間位置Ｂ２では、図３（ロ）に示すように、操作パネル１を前後方向移動範囲及び昇降範囲の中間位置で、操作部５と表示部６を通常位置Ｂ１よりも前面側前方に向けて若干傾けた姿勢で保持でき、最大傾斜位置Ｂ３では、操作パネル１を最も低い位置で、操作部５と表示部６を前面側前方に向けて最も傾けた姿勢で保持できる。
【００２２】
そして、図４に示すように、使用者Ｄが車椅子Ｅに乗らない健常者などの眼の高さが高い人の場合は、操作部５と表示部６を高い位置から見やすい通常位置Ｂ１に操作パネル１を保持して使用することができ、使用者Ｄが車椅子Ｅに乗った障害者などの眼の高さが低い人の場合でも、図５に示すように、車椅子Ｅを装置本体２の前面に対して横向きに近づけて使用するときは、操作パネル１に比較的近い位置で使用できるので、操作部５と表示部６を低い位置で斜め上方から見やすい中間位置Ｂ２に操作パネル１を保持して使用することができ、図６に示すように、車椅子Ｅを装置本体２の前面に対して対向するように近づけて使用するときは、操作パネル１から比較的遠い位置で使用することになるので、操作部５と表示部６を低い位置で前面側前方から見やすい最大傾斜位置Ｂ３に操作パネル１を保持して使用することができる。
【００２３】
〔第２実施形態〕
図７は本発明による処理装置の別実施形態を示し、操作パネル１を装置本体２の前面側前方に最も突出している最大傾斜位置Ｂ３に移動するように付勢する付勢機構Ｆを操作パネル１の左右両側に設けると共に、操作パネル１を装置本体２の前面側前方から最も引退している通常位置Ｂ１に固定自在なロック機構Ｇを操作パネル１の左右方向略中央に設けて、通常位置Ｂ１と最大傾斜位置Ｂ３との二位置に移動操作自在に操作パネル１を支持するパネル支持機構Ｃを設けてある。
【００２４】
前記付勢機構Ｆは、ガイド部材７ａの前端側にガイド面７の上方に向けて突出するように設けたガイド側突起部１４と、操作パネル１の裏面側にガイド面７に向けて突出するように設けたパネル側突起部１５とに亘ってコイルバネ（弾性体の一例）１６を連結して、図７（ハ）に示す最大傾斜位置Ｂ３に移動している操作パネル１を、図７（イ），（ロ）に示す通常位置Ｂ１に移動させるに伴って、コイルバネ１６が伸張して、そのコイルバネ１６の付勢力で、操作パネル１が通常位置Ｂ１から最大傾斜位置Ｂ３に復帰移動可能に設けてある。
【００２５】
前記ロック機構Ｇは、バネ２１で下向きに移動付勢してある操作部材１７を操作パネル１に上下に往復移動操作自在に保持するとともに、操作パネル１を通常位置Ｂ１に移動させたときに、操作部材１７の係止爪１８を入り込ませて、操作パネル１の最大傾斜位置Ｂ３側への移動を阻止するように係止自在な係止部１９を、ガイド部材７ａの前面側端部に設けて構成してある。
【００２６】
そして、最大傾斜位置Ｂ３の操作パネル１を手動操作で通常位置Ｂ１に向けて移動させることにより、コイルバネ１６を弾性的に伸張させるとともに、操作部材１７の係止爪１８を係止部１９に係止させて、図７（イ）に示すように、操作パネル１を通常位置Ｂ１に保持し、通常位置Ｂ１の操作パネル１を最大傾斜位置Ｂ３に移動させるときは、図７（ロ）に示すように、操作部材１７を指で押し上げて、係止爪１８と係止部１９との係止を解除すると、図７（ハ）に示すように、操作パネル１がコイルバネ１６の収縮しようとする付勢力で最大傾斜位置Ｂ３に移動するように構成してある。
【００２７】
また、最大傾斜位置Ｂ３に移動させた操作パネル１を装置本体２側に固定できるように、パネル側突起部１５とガイド側突起部１４とにマグネットキャッチなどの互いに吸引する磁石２０を設けてある。
【００２８】
尚、係止爪１８と係止部１９との係止に代えて、操作パネル１側と装置本体２側とにマグネットキャッチなどの互いに吸引する磁石を設けて、それらの磁石同士の吸着により、操作パネル１を通常位置Ｂ１に固定自在なロック機構Ｇを設けても良い。
その他の構成は第１実施形態と同様である。
【００２９】
〔その他の実施形態〕
１．本発明による処理装置は、パネルの装置本体の前後方向や左右方向，斜め方向などのいずれの側方に向けての移動に連動して、操作部及び／又は表示部が上向き姿勢から横向き姿勢に姿勢変更するように、パネルを支持してあっても良い。
２．本発明による処理装置は、操作部及び／又は表示部が上向き姿勢から横向き姿勢に姿勢変更するように、或いは、操作部及び／又は表示部が横向き姿勢から上向き姿勢に姿勢変更するように、電動式や流体圧式の駆動装置でパネルを駆動移動させる移動装置を設けてあっても良い。
３．本発明による処理装置は、パネルの装置本体の前後方向及び／又は左右方向の側方に向けての移動に連動して、操作部及び／又は表示部が上向き姿勢から横向き姿勢に姿勢変更するように、パネルをリンク機構で支持してあっても良い。
４．本発明による処理装置は、パネルの移動装置と、操作部及び／又は表示部の姿勢変更装置とを各別に設けて、パネルが装置本体に対する側方に向けて移動するに伴って、操作部及び／又は表示部が上向き姿勢から横向き姿勢に姿勢変更するように、移動装置と姿勢変更装置とを駆動させるように構成してあっても良い。
５．本発明による処理装置は、パネルの装置本体に対する側方に向けての移動に連動して、操作部及び／又は表示部が、上向き姿勢から横向き姿勢に段階的に姿勢変更するように、パネルを支持してあっても良い。
６．本発明による処理装置は、パネルの装置本体に対する側方に向けての移動に連動して、パネルが特定位置に移動したタイミングで操作部及び／又は表示部が傾動して、その特定位置に応じた横向き姿勢に姿勢変更するように、パネルを支持してあっても良い。
７．本発明による処理装置は、操作部及び／又は表示部を上向き姿勢から横向き姿勢に姿勢変更可能にパネルに支持して、そのパネルの装置本体に対する側方に向けての移動に連動して、操作部及び／又は表示部が、パネルに対して、上向き姿勢から横向き姿勢に姿勢変更するように、パネルを支持してあっても良い。
８．本発明による処理装置は、操作部及び／又は表示部の上向き姿勢から横向き姿勢への姿勢変更角度が９０度以上の角度であっても良く、パネルの取り付け位置や使用環境に応じた姿勢変更角度で設けることができる。
９．本発明による処理装置は、ローラなどを介して、ガイド面に沿ってスライド移動操作自在に支持してあっても良い。
１０．本発明による処理装置は、操作パネルを装置本体の前面側前方から最も引退している通常位置に移動するように付勢する付勢機構と、操作パネルを装置本体の前面側前方に最も突出している最大傾斜位置に固定自在なロック機構とを設けて、通常位置の操作パネルを手動操作で付勢力に抗して最大傾斜位置に向けて移動させるとともに、ロック機構でその最大傾斜位置に固定して、操作パネルを最大傾斜位置に保持し、最大傾斜位置の操作パネルを通常位置に移動させるときは、ロック機構による固定を解除して、付勢機構の付勢力で通常位置に移動するように構成してあっても良い。
１１．本発明による処理装置は、操作パネルを装置本体側の所望の位置に固定できるように、操作パネル側と装置本体側とにマグネットキャッチなどの互いに吸引する磁石を設けてあっても、操作パネルを装置本体側に係止させるリンク式の係止機構を係止解除自在に設けてあっても良い。
１２．本発明による処理装置は、操作パネルを容易に移動できるように押し引き操作自在な取っ手を設けてあっても良く、操作パネルを固定するロック機構を設けてある場合は、取っ手を掴んで押し引き操作するに伴って、ロック機構による固定が解除されるように構成しても良い。
１３．本発明による処理装置は、操作部のみを備えたパネルを支持してあっても良い。
１４．本発明による処理装置は、表示部のみを備えたパネルを支持してあっても良い。
１５．本発明による処理装置は、複写機能や印刷機能，ファクシミリ機能などの複数の機能を備えた画像処理装置であっても良い。
１６．本発明による処理装置は、操作部及び／又は表示部を備えたパネルを、装置本体に対して移動自在に支持してある各種の電気器具や工作機械，運転装置などであっても良い。
【図面の簡単な説明】
【００３０】
【図１】画像処理装置の斜視図
【図２】要部の斜視図
【図３】要部側面図
【図４】使用態様の説明図
【図５】使用態様の説明図
【図６】使用態様の説明図
【図７】第２実施形態の説明図
【符号の説明】
【００３１】
１  パネル
２  装置本体
５  操作部
６  表示部
７  ガイド面
【図１】
2006026924.tif 000003
【図２】
2006026924.tif 000004
【図３】
2006026924.tif 000005
【図４】
2006026924.tif 000006
【図５】
2006026924.tif 000007
【図６】
2006026924.tif 000008
【図７】
2006026924.tif 000009